(57)【要約】      （修正有）【課題】大型のマルチタッチ電子ホワイトボードに関し、特に２つのシステムを用いる大型のマルチタッチ電子ホワイトボードの提供。【解決手段】大型のマルチタッチ電子ホワイトボードが、必要に応じて外部システムから内部システムに切り換えるスイッチを備える。所望のファイルフォーマットがシステム自信によってサポートされていない場合の大型のマルチタッチ電子ホワイトボードの二重のシステムを提供し、大型のマルチタッチ電子ホワイトボードに接続されている外部コンピュータを用いて所望のファイルを再生することが出来る。【選択図】図２Ｂ
2014093081.tif 000002
【特許請求の範囲】
【請求項１】
大型のマルチタッチ電子ホワイトボード（１００）であって：
オープンソースシステムによって展開されるマザーボード（２０２）；
３０インチよりも大きい対角線を有するとともに前記マザーボード（２０２）を収容するスクリーン（１２０）；
前記マザーボード（２０２）からコマンドを受信するとともに前記スクリーン（１２０）を駆動して画像をレンダリングする駆動ボード（２０４）；
前記スクリーン（１２０）の前面を覆うとともに第１のユニバーサルシリアルバス（２２３）によって前記駆動ボード（２０４）に接続されているタッチフレーム（１３０）；
ワイヤレスネットワークに接続するワイヤレスフィデリティデバイス；
ユニバーサルシリアルバスポート（２３０）であって、前記コンピューター（２４０）は該ユニバーサルシリアルバスポート（２３０）を介して前記スイッチ（２０６）に接続されている、ユニバーサルシリアルバスポート（２３０）；
ビデオ入力ポート（２１０）であって、前記コンピューター（２４０）は該ビデオ入力ポート（２１０）を介して前記駆動ボード（２０４）に接続されている、ビデオ入力ポート（２１０）；
前記スクリーン（１２０）、前記マザーボード（２０２）及び前記駆動ボード（２０４）の外部のコンピューター（２４０）に接続されているとともに、マスター制御システムを前記コンピューター（２４０）と前記マザーボード（２０２）との間で切り換えて二重のシステム制御を提供するのに用いられる、スイッチ（２０６）；
前記スクリーン（１２０）の裏側の回転可能なブラケット（１４０）であって、前記スクリーン（１２０）を該回転可能なブラケット（１４０）に対して回転させる、回転可能なブラケット（１４０）；及び
前記スクリーン（１２０）の回転を検出するとともに、前記スクリーン（１２０）に示される画像を縦長表示又は横長表示に調整するよう前記マザーボードに通知する重力センサー
を含む、大型のマルチタッチ電子ホワイトボード。
【請求項２】
Ｂｌｕｅｔｏｏｔｈ通信によってＢｌｕｅｔｏｏｔｈ信号を送受信するＢｌｕｅｔｏｏｔｈデバイス；
近距離無線通信によって近距離通信信号を受信及び伝送する近距離通信デバイス；
前記スクリーン（１２０）上に表示されるダウンロード仮想ボタン（３２２）であって、該ダウンロード仮想ボタン（３２２）がクリックされると、ファイルが、前記ワイヤレスフィデリティデバイス、前記Ｂｌｕｅｔｏｏｔｈデバイス又は前記近距離通信デバイスを通じてモバイルデバイス（４００）に伝送され、また該モバイルデバイス（４００）によって受信される、ダウンロード仮想ボタン（３２２）
を更に備える、請求項１に記載の電子ホワイトボード。
【請求項３】
前記スクリーン（１２０）上に表示されるダウンロード仮想ボタン（３２２）であって、該ダウンロード仮想ボタン（３２２）がクリックされると、ファイルが、前記近距離通信デバイスを通じてモバイルデバイス（４００）に伝送され、また該モバイルデバイス（４００）によって受信される、ダウンロード仮想ボタン（３２２）を更に備える、請求項２に記載の電子ホワイトボード。
【請求項４】
カメラ（１３５）、スピーカー（１３６）、マイクロホン（１３７）を更に備える、請求項１に記載の電子ホワイトボード。
【請求項５】
バス（２３３）によって前記マザーボード（２０２）に接続されており、情報、ビデオ、写真等を格納、読み取り及び再現するために、ユニバーサルシリアルバスデバイスに接続するように用いられるユニバーサルシリアルバスポート（２３１）を更に備える、請求項１に記載の電子ホワイトボード。
【発明の詳細な説明】
【技術分野】
【０００１】
本発明は、大型のマルチタッチ電子ホワイトボードに関し、特に、２つのシステムを用いる大型のマルチタッチ電子ホワイトボードに関する。
【背景技術】
【０００２】
大型のマルチメディア電子ホワイトボードは：学校の教室、ホール、展示ホール、鉄道駅等を含む公共の場に主に設置されている。大型のマルチメディア電子ホワイトボードは通常、コンピューター、タッチホワイトボード、プロジェクター、オーディオプレーヤー、マイクロホン及び他の電子機器から構成される。
【０００３】
大型のマルチメディア電子ホワイトボードの発展に伴い、広告において、屋外で大型のマルチメディア電子ホワイトボードが用いられる傾向にある。現在、大型の電子ホワイトボードは、世界的規模の輸送、銀行取引、金融、ショッピングモール及び企業において広く用いられている。しかし、大型のマルチメディア電子ホワイトボードは、市場の要件を満たすために革新的な製品を提供し続けなければならず、様々な産業における顧客の要件に従って種々の製品を提供しなければならない。
【０００４】
例えば、業務用の大型の電子ホワイトボードは、空港及びショッピングモールに設置することができる。また、空港の情報及び買い物情報を顧客に提供することができる。スクリーンのタッチ機能は、訪問者に対してインタラクティブでタイムリーな情報を提供することができる。電子掲示板は、様々な場所に適用し、種々の用途を提供することができ、また、レストラン又は小売店にとって、写真又はビデオの形態の広告コンテンツを再生するのに好適である。
【０００５】
しかし、従来の大型のマルチメディア電子ホワイトボードは通常、システムを開発するのに多くの労働力又は資金を必要とする。さらに、システムの開発においては、最新の技術及び動向に精通していなければならず、したがって、機器ベンダー及びその機器を購入する会社は、多くの労働力及び資金を費やさなければならない。
【０００６】
さらに、従来の大型のマルチメディア電子ホワイトボードのスクリーンの表示は、縦長表示に固定されているが、場合によっては横長表示の方が縦長表示よりも好ましい場合がある。また、場合によっては所望のファイルフォーマットが大型のマルチメディア電子ホワイトボードのシステムによってサポートされていない場合があり、このこともユーザーの不快な経験につながる。
【発明の概要】
【発明が解決しようとする課題】
【０００７】
本発明は、上述の問題を解決することを目的とする。
【課題を解決するための手段】
【０００８】
本発明は、所望のファイルのフォーマットがシステム自身によってサポートされていない場合の、大型のマルチタッチ電子ホワイトボードの二重のシステムを提供し、大型のマルチタッチ電子ホワイトボードに接続されている外部コンピューターを用いて所望のファイルを再生することができる。
【０００９】
本発明は、大型のマルチタッチ電子ホワイトボード１００であって：オープンソースシステムによって展開されるマザーボード２０２；３０インチよりも大きい対角線を有するとともにマザーボード２０２を収容するスクリーン１２０；マザーボード２０２からコマンドを受信するとともにスクリーン１２０を駆動して画像をレンダリングする駆動ボード２０４；スクリーン１２０の前面を覆うとともに第１のユニバーサルシリアルバス２２３によって駆動ボード２０４に接続されているタッチフレーム１３０；ワイヤレスネットワークに接続するワイヤレスフィデリティデバイス；ユニバーサルシリアルバスポート２３０であって、コンピューター２４０はユニバーサルシリアルバスポート２３０を介してスイッチ２０６に接続されている、ユニバーサルシリアルバスポート２３０；ビデオ入力ポート２１０であって、コンピューター２４０はビデオ入力ポート２１０を介して駆動ボード２０４に接続されている、ビデオ入力ポート２１０；及びスクリーン１２０、マザーボード２０２及び駆動ボード２０４の外部のコンピューター２４０に接続されているとともに、マスター制御システムをコンピューター２４０とマザーボード２０２との間で切り換えて二重のシステム制御を提供するのに用いられる、スイッチ２０６を含む、大型のマルチタッチ電子ホワイトボードを提供する。
【００１０】
本発明のシステムは、Ｇｏｏｇｌｅ社のＡｎｄｒｏｉｄシステム等のオープンソースシステムであるものとすることができる。オープンソースシステムは無料であるため、製造業者は開発及びアップデートのコストを節減する。
【００１１】
本発明は、大型のマルチタッチ電子ホワイトボードであって、スクリーンの裏側の回転可能なブラケットであって、スクリーンを回転可能なブラケットに対して回転させる、回転可能なブラケット；及びスクリーンの回転を検出するとともに、スクリーンの画像を縦長表示又は横長表示に調整するようマザーボードに通知する重力センサーを有する、大型のマルチタッチ電子ホワイトボードを提供する。したがって、スクリーンの画像は、本発明の大型のマルチタッチ電子ホワイトボードの回転に従って縦長表示又は横長表示に調整することができる。
【００１２】
本発明の基本的な目的及び利点は、以下の説明を読み、添付の図面を参照すれば明らかとなるであろう。
【図面の簡単な説明】
【００１３】
【図１Ａ】スクリーンが横長形状で配置されている、本発明の一実施形態による大型のマルチタッチ電子ホワイトボードを示す図である。
【図１Ｂ】スクリーンが縦長形状で配置されている、本発明の一実施形態による大型のマルチタッチ電子ホワイトボードを示す図である。
【図２Ａ】本発明の一実施形態による大型のマルチタッチ電子ホワイトボードの内部構造を示す図である。
【図２Ｂ】本発明の一実施形態による二重のシステムを有する大型のマルチタッチ電子ホワイトボードの内部構造を示す図である。
【図３Ａ】本発明の別の実施形態による、ファイルをダウンロードするように設けられている大型のマルチタッチ電子ホワイトボードを示す図である。
【図３Ｂ】本発明の別の実施形態による、チケットを販売するように設けられている大型のマルチタッチ電子ホワイトボードを示す図である。
【図４】本発明の別の実施形態によるチケットを受信するモバイルデバイスを示す図である。
【発明を実施するための形態】
【００１４】
上記で記載されている詳細並びに本発明による他の利点及び目的が得られる方法を十分に理解するために、本発明の最良の形態及び特定の実施形態を参照することによって本発明のより詳細な説明を提供する。本発明の以下の説明は、本発明の包括的な原理を示すためになされ、限定する意味では解釈されるべきではなく；本発明の種々の実施形態を示すことが意図される。したがって、説明される特定の変更形態は、本発明の範囲に対する限定であるものとして解釈されるべきではない。本発明の範囲から逸脱することなく種々の均等物、変形及び変更を作り出すことができることが当業者には明らかであり、そのような均等な実施形態は本明細書に含まれるべきであると理解される。以下で提示される説明において用いられる用語は、本発明の或る特定の実施形態の詳細な説明とともに用いられるとしても、その最も広範で合理的な解釈で解釈されることが意図される。以下で特定の用語を強調することさえもあり得るが；限定されるように解釈されることが意図される任意の用語は、この詳細な説明のセクションにおいてそのような明らかにまた具体的に定義される。文脈から可能である場合、単数形又は複数形の用語は、それぞれ複数形又は単数形の用語も含むことができる。さらに、「又は」という用語は、２つ以上の要素のリストにおいて他の要素から排他的である１つの要素のみを意味するように明らかに限定されない限り、そのようなリストにおける「又は」の使用は、（ａ）リスト内の任意の１つの要素、（ｂ）リスト内の要素の全て、又は（ｃ）リスト内の要素の任意の組み合わせを含むものとして解釈するべきである。
【００１５】
本発明の範囲、構造及び手順を説明するために本発明の好ましい実施形態及び態様が記載される。本発明は、本明細書の好ましい実施形態に加えて、他の実施形態に広範に適用することができる。
【００１６】
図１Ａは、スクリーン１２０が横長形状で配置されている、本発明の一実施形態による大型のマルチタッチ電子ホワイトボード１００を示している。図１Ｂは、スクリーン１２０が縦長形状で配置されている、本発明の一実施形態による大型のマルチタッチ電子ホワイトボード１００を示している。
【００１７】
図１Ａ及び図１Ｂを参照すると、本発明は、大型のマルチタッチ電子ホワイトボード１００であって、スクリーン１２０の裏側の回転可能なブラケット１４０であって、スクリーン１２０を回転可能なブラケット１４０に対して回転させる、回転可能なブラケット１４０を有する大型のマルチタッチ電子ホワイトボード１００を提供し、大型のマルチタッチ電子ホワイトボード１００のスクリーン１２０は、図１Ａの横長形状から図１Ｂの縦長形状に配置される。特に、大型のマルチタッチ電子ホワイトボード１００は、スクリーン１２０の回転を検出するとともに、スクリーン１２０に表示される画像を縦長表示又は横長表示に調整するようマザーボード２０２に通知する重力センサーを更に含むことができる。
【００１８】
図１Ａ及び図１Ｂを参照すると、大型のマルチタッチ電子ホワイトボード１００は：３０インチよりも大きい対角線を有するとともにマザーボード２０２を収容するスクリーン１２０；及びスクリーン１２０の前面を覆うタッチフレーム１３０を含む。
【００１９】
代替的には、本発明の大型のマルチタッチ電子ホワイトボードは：ワイヤレスネットワークに接続するワイヤレスフィデリティ（ＷＩＦＩ）デバイス（図示せず）；Ｂｌｕｅｔｏｏｔｈ信号をＢｌｕｅｔｏｏｔｈ通信によって受信及び送信するＢｌｕｅｔｏｏｔｈデバイス（図示せず）；周波数変調信号又は振幅変調信号を受信するアンテナ（図示せず）；カメラ１３５；スピーカー１３６；マイクロホン１３７の１つ又は複数を更に含む。代替的には、スクリーン１２０は１つ又は複数のボタン（１３１〜１３４）を有することができる。
【００２０】
図２Ａは、本発明の一実施形態による大型のマルチタッチ電子ホワイトボードの内部構造を示している。図示のように、本発明の大型のマルチタッチ電子ホワイトボードは、オープンソースシステムによって展開されるマザーボード２０２；及びマザーボード２０２からコマンドを受信するとともにスクリーン１２０を駆動して画像をレンダリングする駆動ボード２０４を更に含む。代替的には、タッチフレーム１３０が、ユニバーサルシリアルバス２２２によってマザーボード２０２に接続されており、マザーボード２０２を制御する。ビデオ信号が、マザーボード２０２からビデオ伝送ライン２１２を介して駆動ボード２０４に伝送され、またビデオライン２１４を介してスクリーン１２０に伝送され、ビデオ伝送ライン２１２は、高精細度マルチメディアインターフェース（ＨＤＭＩ）ケーブルであるものとすることができる。
【００２１】
代替的には、大型のマルチタッチ電子ホワイトボードのタッチフレーム１３０は、光学タッチフレーム、音響タッチフレーム、又は赤外線タッチフレームであってもよい。
【００２２】
代替的には、マザーボード２０２は、用いられるプログラム及び電子ホワイトボードを用いる数を記録するために記録プログラムを実行することができる。
【００２３】
さらに、マザーボード２０２は、どのプログラムを用いるかを決定するためにワイヤレスネットワークを介して局所的に又は遠隔に制御される制御プログラムを実行することができる。さらに、マザーボード２０２は、どの広告を表示するかを決定するためにワイヤレスネットワークを介して局所的に又は遠隔に制御される広告制御プログラムを実行することができる。したがって、多くの大型のマルチタッチ電子ホワイトボードが散在した位置で展開される場合、それらを１つずつ設定する必要がなく、したがって多くの労働力が節減される。
【００２４】
代替的には、図２Ａに示されているように、本発明の大型のマルチタッチ電子ホワイトボードは、バス２３３によってマザーボード２０２に接続されているユニバーサルシリアルバスポート２３１を更に含む。ユニバーサルシリアルバスポート２３１は、情報、ビデオ、写真等を格納、読み取り及び再現するために、ユニバーサルシリアルバスデバイス、例えばユニバーサルシリアルバスフラッシュドライブに接続されるように設けられている。
【００２５】
図３Ａは、本発明の別の実施形態による、ファイルをダウンロードするように設けられている大型のマルチタッチ電子ホワイトボードを示している。図示のように、大型のマルチタッチ電子ホワイトボード１００は、スクリーン１２０上にファイル３００ａ及びダウンロード仮想ボタン３２２を表示することができる。ユーザーは、ファイル３００ａをダウンロードすることを望む場合、ダウンロード仮想ボタン３２２をクリックしてファイル３００ａをダウンロードすることができる。また、大型のマルチタッチ電子ホワイトボード１００は、ワイヤレスデバイス（例えばＢｌｕｅｔｏｏｔｈデバイス、近距離無線通信デバイス又はワイヤレスフィデリティデバイス）によってファイル３００ａを伝送することができ、したがって、ユーザーのモバイルデバイスがファイル３００ａを受信することができる。
【００２６】
代替的には、ワイヤレスデバイスは、近距離無線通信デバイスであってもよく、大型のマルチタッチ電子ホワイトボード１００は、モバイルデバイスの無線自動識別（ＲＦＩＤ）又は電子タグ（ｅｔａｇ）を検出して、ユーザーがファイルをダウンロードすることを許可されていることを判断することができる。
【００２７】
図３Ｂは、本発明の別の実施形態による、チケットを販売するように設けられている大型のマルチタッチ電子ホワイトボードを示している。図示のように、大型のマルチタッチ電子ホワイトボード１００は、スクリーン１２０上にチケット３００ｂ及びダウンロード仮想ボタン３２２を表示することができる。ユーザーは、チケット３００ｂを購入することを望む場合、ダウンロード仮想ボタン３２２をクリックすることができる。また、大型のマルチタッチ電子ホワイトボード１００は、ワイヤレスデバイス（例えばＢｌｕｅｔｏｏｔｈデバイス、近距離無線通信デバイス又はワイヤレスフィデリティデバイス）によってチケット３００ａのファイルを送信することができ、したがってユーザーのモバイルデバイスがチケット３００ｂのファイルを受信することができる。代替的には、チケット３００ｂは二次元バーコード３０２を含むことができる。
【００２８】
図４は、本発明の別の実施形態によるチケット３００ｂを受信するモバイルデバイス４００を示している。代替的には、モバイルデバイス４００のスクリーン４２０が、２次元バーコード３０２を含むチケット３００ｂを表示してもよい。チケット３００ｂは、２次元バーコード３０２からの情報を読み取るためにスキャナーに供される。
【００２９】
別の態様では、本発明の大型のタッチ電子ホワイトボードは、二重のシステムを有する大型のマルチタッチ電子ホワイトボードであるものとすることができる。所望のファイルのフォーマットが大型のマルチタッチ電子ホワイトボードのシステムによってサポートされていない場合、所望のファイルは、外部コンピューターに接続することによって大型のマルチタッチ電子ホワイトボードによって再生することができる。
【００３０】
図２Ｂは、本発明の一実施形態による二重のシステムを有する大型のマルチタッチ電子ホワイトボードの内部構造を示している。本発明の大型のタッチ電子ホワイトボードは、スイッチ２０６を更に含むことができ、スイッチ２０６は、キーボード、ビデオ及びマウスの仮想マシンスイッチ（ＫＶＭスイッチ）であるものとすることができる。スイッチ２０６はバス２２６によって駆動ボード２０４に接続されている。
【００３１】
図２Ｂに示されているように、スイッチ２０６の一端は、ユニバーサルシリアルバス２３４によってユニバーサルシリアルバスポート２３０に接続されており、ユニバーサルシリアルバスポート２３０は、ユニバーサルシリアルバス２３２によってスクリーン１２０の外部のコンピューター２４０に接続されている。スイッチ２０６の他端は、ユニバーサルシリアルバス２２８によってマザーボード２０２に接続されている。したがって、スイッチ２０６を用いて、マスター制御システムをコンピューター２４０とマザーボード２０２との間で切り換え、二重のシステム制御を提供することができる。コンピューター２４０をマスター制御システムとして選択する場合、コンピューター２４０からのビデオ信号は、ビデオライン２１６、ビデオ入力ポート２１０、ビデオ伝送ライン２１８を順次に通じて駆動ボード２０４に送信され；次いでビデオライン２１４を通じてスクリーン１２０に送信され、スクリーン１２０上に画像をレンダリングする。代替的には、ビデオライン２１６は、高精細度マルチメディアインターフェース（ＨＤＭＩ）ライン、デジタルビジュアルインターフェース（ＤＶＩ）ライン、又はビデオグラフィックスアレイ（ＶＧＡ）ラインであってもよく、ビデオ入力ポート２１０は、高精細度マルチメディアインターフェース入力ポート、デジタルビジュアルインターフェース入力ポート又はビデオグラフィックスアレイ入力ポートであってもよい。代替的には、タッチフレーム１３０は、ユニバーサルシリアルバス２２３によって駆動ボード２０４に接続され、次いでバス２２６を介してスイッチ２０６に接続される。
【００３２】
代替的には、仮想ボタンをスクリーン１２０上に表示してもよく、仮想ボタンに相当するタッチフレーム１３０の位置を押下すると、信号がスイッチ２０６に伝送されてマスター制御システムをコンピューター２４０とマザーボード２０２との間で切り換える。
【００３３】
さらに、スクリーン１２０は、切り換え信号をスイッチ２０６に送信してマスター制御システムをコンピューター２４０とマザーボード２０２との間で切り換えるのに用いることができる物理的なボタンを有することができる。
【００３４】
図２Ｂに示されているように、本発明の大型のマルチタッチ電子ホワイトボードは、信号伝送ライン２２５によって駆動ボード２０４に接続されており、遠隔制御部からの信号を受信するのに用いられる受信機２０８を更に含む。駆動ボード２０４は、バス２２６によってスイッチ２０６に接続されており、したがって、遠隔制御部からの信号をスイッチ２０６に伝送してマスター制御システムをコンピューター２４０とマザーボード２０２との間で切り換えてもよい。代替的には、遠隔制御部は赤外線遠隔制御部であってもよい。
【００３５】
代替的には、図２Ｂに示されているように、本発明の大型のマルチタッチ電子ホワイトボードは、バス２３３によってマザーボード２０２に接続されているユニバーサルシリアルバスポート２３１を更に含む。ユニバーサルシリアルバスポート２３１は、情報、ビデオ、写真等を格納、読み取り及び再現するために、ユニバーサルシリアルバスデバイス、例えばユニバーサルシリアルバスフラッシュドライブに接続するように設けられている。
【００３６】
説明を目的とする上述の記載は、本発明の完全な理解を提供するために好ましい実施形態の特定の詳細が記載された。しかし、当業者には、本発明を実施するには特定の詳細は必要とされないことが明らかであろう。したがって、本発明の特定の実施形態の上述の記載は、専ら例示及び説明を目的として提示されており、本発明の範囲をいかようにも限定するようには解釈されるべきではない。上述の記載は、網羅的であることも、本発明を開示されている正確な形態に限定することも意図せず；明らかに、上記の教示を考慮して多くの変更形態及び変形形態が可能である。実施形態は、本発明の原理及びその実際的な用途を最も良く説明し、それによって、当業者が、本発明及び種々の変更形態を含む種々の実施形態を意図される特定の用途に適するように最も良く用いることを可能にするために選択され記載されている。添付の特許請求の範囲及びそれらの均等物が本発明の範囲を規定することが意図される。
【００３７】
本発明の上記で記載した実施形態は、専ら例示的であることを意図する。当業者は、添付の特許請求の範囲の範囲から逸脱することなく、多くの代替的な実施形態を考案することができる。
【図１Ａ】
2014093081.tif 000003
【図１Ｂ】
2014093081.tif 000004
【図２Ａ】
2014093081.tif 000005
【図２Ｂ】
2014093081.tif 000006
【図３Ａ】
2014093081.tif 000007
【図３Ｂ】
2014093081.tif 000008
【図４】
2014093081.tif 000009